(57)【特許請求の範囲】
【請求項１】
車両が出発地から目的地に到達できる移動経路を探索して案内する車両用経路案内装置であって、
前記車両の現在位置の情報を逐次取得する現在位置情報取得手段と、
紫外線センサで測定した前記車両の車室内の紫外線量の情報を取得する紫外線量情報取得手段と、
前記現在位置の情報とこの現在位置において前記紫外線センサで測定した紫外線量の情報との対応関係を格納する対応関係格納部と、
前記対応関係格納部に格納されている対応関係に基づいて、前記移動経路として案内する候補となる複数の案内候補経路のうち、前記車室内の紫外線量が最も少なくなる経路を選択する車両側選択手段と、
前記案内候補経路上の渋滞の状態を示す渋滞情報を取得する渋滞情報取得手段とを備え、
前記車両側選択手段は、前記渋滞情報に基づいて、前記案内候補経路のうち、渋滞の度合いが高い地点ほど、前記対応関係で対応付けられている紫外線量を高く補正するとともに、この補正後の紫外線量に基づいて、前記車室内の紫外線量が最も少なくなる経路を選択し、
前記車両側選択手段で選択した経路を前記移動経路として案内することを特徴とする車両用経路案内装置。
【請求項２】
天候の情報である天候情報および日時の情報である日時情報のうちの少なくともいずれかの情報である紫外線量関係情報を取得する紫外線量関係情報取得手段をさらに備え、
前記対応関係格納部は、前記現在位置の情報とこの現在位置において前記紫外線センサで測定した紫外線量の情報とこの現在位置においてこの紫外線量を測定したときの紫外線量関係情報との対応関係を格納することを特徴とする請求項１に記載の車両用経路案内装置。
【請求項３】
前記車両側選択手段は、前記対応関係に基づいて、前記案内候補経路のうち、前記紫外線量が所定の閾値以上になると推測される地点を通過する回数の少ない経路を、前記車両の車室内の紫外線量が最も少なくなる経路として選択することを特徴とする請求項１または２に記載の車両用経路案内装置。
【請求項４】
請求項１〜３のいずれか１項に記載の車両用経路案内装置と、
前記対応関係の情報を送信する車両側通信装置と、を搭載した複数の車両と、
前記複数の車両の前記通信装置から送信される前記対応関係の情報を受信するサーバ側通信装置と、
前記サーバ側通信装置で受信した前記対応関係の情報を格納するメモリと、
前記メモリに格納されている、前記複数の車両の車両側通信装置から受信した対応関係に基づいて、対象とする車両が出発地から目的地に到達できる移動経路として案内する候補となる複数の案内候補経路のうち、前記対象とする車両の車室内の紫外線量が最も少なくなる経路を選択するサーバ側選択手段と、を備える管理サーバと、を含み、
前記サーバ側選択手段で選択した経路を前記移動経路として、前記対象とする車両の乗員に案内することを特徴とする車両用経路案内システム。
【発明の詳細な説明】
【技術分野】
【０００１】
本発明は、ナビゲーション装置および車両用経路案内システムに関するものである。
【背景技術】
【０００２】
従来から、太陽の眩しさを走行中のドライバーが避けることができるようにする技術が知られている。例えば、特許文献１には、直射日光が運転席に差し込むことを予知し、直射日光が運転席に差し込むことを予めドライバーに通知する技術が開示されている。また、特許文献２には、直射日光が運転席に差し込むことを予知し、太陽がドライバーの前方視野に入る経路を避けた経路を案内する技術が開示されている。
【特許文献１】特開２００３−１２１１５９号公報
【特許文献２】特開平８−１５９８００号公報
【発明の開示】
【発明が解決しようとする課題】
【０００３】
しかしながら、特許文献１および特許文献２に開示の技術は、ドライバーにあたる直射日光の量を低減させることを可能にするものの、車両の乗員にあたる紫外線量を必ずしも低減させることができないという問題点を有している。
【０００４】
詳しくは、紫外線は可視光線よりも波長の短い光であるため、可視光線よりも散乱しやすく、直射日光の差し込まない場所にも差し込む。よって、直射日光の量の少ない場所であっても、紫外線量の多い場所もあれば紫外線量の少ない場所もある。つまり、直射日光の有無では、紫外線量の多寡は判断できない。従って、直射日光が運転席に差し込むことを予知して行う特許文献１および特許文献２に開示の技術を利用しても、車両の乗員にあたる紫外線量を必ずしも低減させることはできない。
【０００５】
本発明は、上記従来の問題点に鑑みなされたものであって、その目的は、車両の乗員にあたる紫外線量をより確実に低減させることを可能にする車両用経路案内装置および車両用経路案内システムを提供することにある。
【課題を解決するための手段】
【０００６】
請求項１の車両用経路案内装置は、上記課題を解決するために、車両が出発地から目的地に到達できる移動経路を探索して案内する車両用経路案内装置であって、前記車両の現在位置の情報を逐次取得する現在位置情報取得手段と、紫外線センサで測定した前記車両の車室内の紫外線量の情報を取得する紫外線量情報取得手段と、前記現在位置の情報とこの現在位置において前記紫外線センサで測定した紫外線量の情報との対応関係を格納する対応関係格納部と、前記対応関係格納部に格納されている対応関係に基づいて、前記移動経路として案内する候補となる複数の案内候補経路のうち、前記車室内の紫外線量が最も少なくなる経路を選択する車両側選択手段と、前記案内候補経路上の渋滞の状態を示す渋滞情報を取得する渋滞情報取得手段とを備え、前記車両側選択手段は、前記渋滞情報に基づいて、前記案内候補経路のうち、渋滞の度合いが高い地点ほど、前記対応関係で対応付けられている紫外線量を高く補正するとともに、この補正後の紫外線量に基づいて、前記車室内の紫外線量が最も少なくなる経路を選択し、前記車両側選択手段で選択した経路を前記移動経路として案内することを特徴としている。
【０００７】
これによれば、紫外線センサで車室内の紫外線量を実測した地点ごとに、その紫外線量情報が対応付けられることになる。よって、案内候補経路上に存在する地点のうちに、紫外線量を実測した地点（以下、実測地点と呼ぶ）が存在する場合には、案内候補経路上に存在する地点における車室内の紫外線量を高確率に予測することができる。よって、複数の案内候補経路のうち、車室内の紫外線量が最も少なくなる経路を選択することが可能になる。従って、請求項１の構成によれば、車両の乗員にあたる紫外線量をより確実に低減させることを可能にすることができる。
渋滞によって車両が一地点にとどまっている場合には、紫外線を遮ることができずに長時間浴び続けなければならない可能性があるため、より紫外線の影響を受けるものと考えられる。また、渋滞がなく、車両が一地点にほとんどとどまっていない場合には、その地点での車室内の紫外線量が強い場合であっても、紫外線の影響を受けにくいものと考えられる。
よって、請求項１の構成によれば、複数の案内候補経路のうち、より紫外線の影響を受けると考えられる経路を避けるとともに、紫外線の影響を受けにくいものと考えられる経路を選択することを、さらに精度良く行うことが可能になる。
【０００８】
請求項２の車両用経路案内装置では、天候の情報である天候情報および日時の情報である日時情報のうちの少なくともいずれかの情報である紫外線量関係情報を取得する紫外線量関係情報取得手段をさらに備え、前記対応関係格納部は、前記現在位置の情報とこの現在位置において前記紫外線センサで測定した紫外線量の情報とこの現在位置においてこの紫外線量を測定したときの紫外線量関係情報との対応関係を格納することを特徴とする。
【０００９】
これによれば、紫外線センサで車室内の紫外線量を実測した地点ごとに、その紫外線量情報およびその紫外線量を実測したときの紫外線量関係情報が対応付けられることになる。よって、案内候補経路上に存在する地点のうちに、実測地点が存在し、且つ、この実測地点を車両が通過すると予想されるときの紫外線量関係情報（つまり、天候や日時）が、この実測地点に対応付けられている紫外線量関係情報と同一であった場合には、案内候補経路上に存在する地点における車室内の紫外線量をさらに高確率に予測することができる。よって、複数の案内候補経路のうち、車室内の紫外線量が最も少なくなる経路を選択することを、さらに精度良く行うことが可能になる。
【００１０】
また、請求項３の車両用経路案内装置では、前記車両側選択手段は、前記対応関係に基づいて、前記案内候補経路のうち、前記紫外線量が所定の閾値以上になると推測される地点を通過する回数の少ない経路を、前記車両の車室内の紫外線量が最も少なくなる経路として選択することを特徴としている。
【００１１】
この請求項３のようにしても、車両の乗員にあたる紫外線量をより確実に低減させることを可能にすることができる。
【００１７】
また、請求項４の車両用経路案内システムは、上記課題を解決するために、前記のいずれかの車両用経路案内装置と、前記対応関係の情報を送信する車両側通信装置と、を搭載した複数の車両と、前記複数の車両の前記通信装置から送信される前記対応関係の情報を受信するサーバ側通信装置と、前記サーバ側通信装置で受信した前記対応関係の情報を格納するメモリと、前記メモリに格納されている、前記複数の車両の車両側通信装置から受信した対応関係に基づいて、対象とする車両が出発地から目的地に到達できる移動経路として案内する候補となる複数の案内候補経路のうち、前記対象とする車両の車室内の紫外線量が最も少なくなる経路を選択するサーバ側選択手段と、を備える管理サーバと、を含み、前記サーバ側選択手段で選択した経路を前記移動経路として、前記対象とする車両の乗員に案内することを特徴としている。
【００１９】
請求項４の構成によれば、紫外線センサで車室内の紫外線量を実測した地点ごとに、その紫外線量情報が対応付けられることになる。よって、案内候補経路上に存在する地点のうちに、実測地点が存在する場合には、案内候補経路上に存在する地点における車室内の紫外線量を高確率に予測することができる。また、現在位置の情報とこの現在位置において紫外線センサで測定した紫外線量の情報との対応関係の情報を、複数の車両から得ることができるので、案内候補経路上に存在する地点のうちに、実測地点が存在するケースが、１台の車両から対応関係の情報を得る場合よりも増える。よって、複数の案内候補経路のうち、車室内の紫外線量が最も少なくなる経路をより精度良く選択することが可能になる。
【発明を実施するための最良の形態】
【００２４】
以下、本発明の実施形態について図面を用いて説明する。図１は、本発明が適用されたナビゲーション装置１の概略的な構成を示すブロック図である。図１に示すナビゲーション装置１は、車両に搭載されるものであり、位置検出器１１、地図データ入力器１６、操作スイッチ群１７、音声出力装置１９、外部メモリ２０、表示装置２１、ナビ側送受信機２２、リモコンセンサ２３、リモートコントロール端末（以下リモコンと称する）２４、およびこれらと接続された制御装置１８を備えている。
【００２５】
位置検出器１１は、地磁気を検出する地磁気センサ１２、車両の鉛直方向周りの角速度を検出するジャイロセンサ１３、車両の移動距離を検出する距離センサ１４、および人工衛星からの電波に基づいて車両の現在位置を検出するＧＰＳのためのＧＰＳ受信機１５を有しており、車両の現在位置および進行方向の検出を行う。これらの各センサ１２〜１５は、各々が性質の異なる誤差を持っているため、複数のセンサにより各々補完しながら使用するように構成されている。なお、各センサの精度によっては位置検出器１１を上述した内の一部で構成してもよく、さらに、図示しないステアリングの回転センサ、各転動輪の回転速度から速度を検出する車速センサ等を用いてもよい。
【００２６】
また、ＧＰＳ受信機１５は、ＧＰＳ受信機１５に搭載されているクオーツ時計の時刻データおよび人工衛星に搭載されている原子時計の時刻データから、車両の現在位置における日時情報を得て、後述する制御装置１８に送る。よって、ＧＰＳ受信機１５は、請求項の紫外線量関係情報取得手段として機能する。なお、日時情報は、例えば何月かを示す情報であってもよいし、春夏秋冬のいずれの季節かを示す情報であってもよいし、何月何日かを示す情報であってもよいし、何時かを示す情報であってもよいし、朝昼夜などの時間帯を示す情報であってもよい。本実施形態では、日時情報が、何月の朝昼夜のどの時間帯であるかを示す情報である場合を例に挙げて以降の説明を行う。
【００２７】
地図データ入力器１６は、記憶媒体（図示せず）が装着され、その記憶媒体に格納されている位置検出の精度向上のためのいわゆるマップマッチング用データ、地図データ、および目印データを含む各種データを入力するための装置である。地図データには、道路を示すリンクデータとノードデータとが含まれる。なお、リンクとは、地図上の各道路を交差・分岐・合流する点等の複数のノードにて分割したときのノード間を結ぶものであり、各リンクを接続することにより道路が構成される。リンクデータは、リンクを特定する固有番号（リンクＩＤ）、リンクの長さを示すリンク長、リンクの始端及び終端ノード座標（緯度・経度）、道路名称、道路種別、道路幅員、車線数、右折・左折専用車線の有無とその専用車線の数、および制限速度等の各データから構成される。
【００２８】
一方、ノードデータは、地図上の各道路が交差、合流、分岐するノード毎に固有の番号を付したノードＩＤ、ノード座標、ノード名称、ノードに接続するリンクのリンクＩＤが記述される接続リンクＩＤ、および交差点種類等の各データから構成される。
【００２９】
また、上記記憶媒体には、各種施設の種類、名称、住所のデータなども記憶されており、それらのデータは経路探索の際の目的地設定などに用いられる。なお、上記記憶媒体としては、ＣＤ−ＲＯＭまたはＤＶＤ−ＲＯＭ、メモリカード、ＨＤＤ等が用いられる。
【００３０】
操作スイッチ群１７は、例えば表示装置２１と一体になったタッチスイッチもしくはメカニカルなスイッチ等が用いられ、スイッチ操作により制御装置１８へ各種機能（例えば、地図縮尺変更、メニュー表示選択、目的地設定、経路探索、経路案内開始、現在位置修正、表示画面変更、音量調整等）の操作指示を行う。また、操作スイッチ群１７は、出発地および目的地を設定するためのスイッチを含んでいる。そのスイッチを操作することによって、ユーザ（つまり、車両の乗員）は、予め登録しておいた地点、施設名、電話番号、住所などから、出発地および目的地を設定することができる。
【００３１】
リモコン２４には複数の操作スイッチ（図示せず）が設けられ、スイッチ操作によりリモコンセンサ２３を介して各種指令信号を制御装置１８に入力することにより、操作スイッチ群１７と同じ機能を制御装置１８に対して実行させることが可能である。
【００３２】
音声出力装置１９は、スピーカ等から構成され、制御装置１８の指示に基づいて、経路案内時の案内音声などを出力する。
【００３３】
外部メモリ２０は、書き込み可能なＨＤＤ等の大容量記憶装置である。外部メモリ２０には大量のデータや電源をＯＦＦしても消去してはいけないデータを記憶したり、頻繁に使用するデータを地図データ入力器１６からコピーして利用したりする等の用途がある。また、外部メモリ２０は、位置検出器１１で検出された車両の現在位置の情報のうち、最新の検出結果を記憶している。さらに、外部メモリ２０は、位置検出器１１で検出された車両の向いている方角の情報のうち、最新の検出結果を記憶している。なお、外部メモリ２０は、比較的記憶容量の小さいリムーバブルなメモリであってもよい。
【００３４】
表示装置２１は、車両の走行を案内するための地図および目的地選択画面等を表示するものであって、フルカラー表示が可能なものであり、液晶ディスプレイ、有機ＥＬディスプレイ、プラズマディスプレイ等を用いて構成することができる。
【００３５】
ナビ側送受信機２２は、車載用の小型通信機であり、図示しない情報センタから送信される車両の現在位置周辺の天候（晴天・曇天・雨天等）を示す天候情報を、例えば携帯電話網などを経由して受信する。また、ナビ側送受信機２２は、情報センタから送信される渋滞情報を受信する。そして、ナビ側送受信機２２は、受信したこの天候情報および渋滞情報を制御装置１８に送る。なお、前述の天候情報や渋滞情報に関しては、ラジオ放送等から受信することとしても良い。また、車両の現在位置周辺の天候に関しては、日照センサや降雨センサからのセンサ信号に基づいて、晴天・曇天・雨天のいずれであるかを判断することとしてもよい。
【００３６】
制御装置１８は通常のコンピュータとして構成されており、内部には周知のＣＰＵ、ＲＯＭやＲＡＭなどのメモリ、Ｉ／Ｏ及びこれらの構成を接続するバスライン（いずれも図示せず）が備えられている。制御装置１８は、位置検出器１１、地図データ入力器１６、操作スイッチ群１７、外部メモリ２０、リモコンセンサ２３から入力された各種情報に基づき、ナビゲーション機能としての処理（例えば、地図縮尺変更処理、メニュー表示選択処理、目的地設定処理、経路探索実行処理、経路案内開始処理、現在位置修正処理、表示画面変更処理、音量調整処理等）を実行する。例えば、経路探索実行処理においては、制御装置１８は、操作スイッチ群１７、リモコン２４から目的地が入力されると、距離優先、時間優先等の予め設定された条件を満たす複数の移動経路（以下、案内候補経路と呼ぶ）を、公知のダイクストラ法を用いて探索する。
【００３７】
また、制御装置１８は、車両が所定の距離を走行するごと（例えば５００ｍ間隔ごと）に、車両の現在位置の情報を位置検出器１１から取得するとともに、この現在位置において紫外線センサ２で測定した紫外線量の情報とこの現在位置においてこの紫外線量を測定したときの天候情報および日時情報（以下、紫外線量関係情報と呼ぶ）とを、この現在位置情報に対応付けて制御装置１８のメモリに格納する処理（以下、実測値収集処理と呼ぶ）を行う。よって、制御装置１８は、請求項の現在位置情報取得手段として機能し、制御装置１８のメモリは、請求項の対応関係格納部として機能する。なお、紫外線量の情報については、紫外線センサ２から送られてくるものを用い、天候情報についてはナビ側送受信機２２から送られてくるものを用い、日時情報については、ＧＰＳ受信機１５から送られてくるものを用いる。よって、ナビ側送受信機２２は、請求項の紫外線量情報取得手段および紫外線量関係情報取得手段としても機能する。また、これらの現在位置の情報、紫外線量の情報、および紫外線量関係情報は、対応付けられて例えばテーブルの形式で格納されるものとする。なお、実測値収集処理の詳細については後述する。
【００３８】
さらに、制御装置１８は、ユーザが操作スイッチ群１７やリモコン２４から目的地を入力した場合（つまり、経路探索実行処理が開始された場合）には、対応付けられてテーブルの形式でメモリに格納されている現在位置の情報、紫外線量の情報、および紫外線量関係情報（以下、これらをまとめてテーブル格納情報と呼ぶ）、ならびにナビ側送受信機２２から送られてきた渋滞情報をもとに、前述の複数の案内候補経路の各々を車両が走行すると想定した場合において車両の車室内の紫外線量が最も少なくなる案内候補経路を推定し、推定した案内候補経路を案内すべき移動経路として選択する処理（以下、低紫外線経路選択処理と呼ぶ）を行う。よって、制御装置１８は、請求項の渋滞情報取得手段および車両側選択手段としても機能する。なお、低紫外線経路選択処理の詳細については後述する。また、制御装置１８は、低紫外線経路選択処理によって選択した移動経路による経路案内表示を表示装置２１に行わせ、案内を行う。
【００３９】
紫外線センサ２は、公知の紫外線センサであって、車両に設置されて車室内の紫外線量を測定する。紫外線センサ２の設置場所としては、例えば図２に示すように、車両前面のルームミラーＡの下とする。この場合には、紫外線センサ２によって、車両前方から車室内に差し込む紫外線量を測定することになる。また、紫外線センサ２は、測定した紫外線量の情報を、制御装置１８に送る。
【００４０】
なお、本実施形態では、例として車両前方から車室内に差し込む紫外線量を測定する構成を示したが、必ずしもこれに限らない。例えば、紫外線センサ２の設置場所を車両の側方や後方などとすることにより、車両側方や車両後方から車室内に差し込む紫外線量を測定する構成としてもよい。
【００４１】
次に、図３を用いて、制御装置１８での実測値収集処理のフローについての説明を行う。図３は、制御装置１８での実測値収集処理のフローを示すフローチャートである。なお、本フローは、車両のイグニッションスイッチがオンされたときに開始される。
【００４２】
まず、ステップＳ１では、車両が走行を開始してから所定の距離に達したか否かを制御装置１８が判定する。なお、ここで言うところの所定の距離とは、任意に設定可能な距離であって、例えば５００ｍとする。そして、所定の距離に達したと判定した場合（ステップＳ１でＹｅｓ）には、ステップＳ２に移る。また、所定の距離に達したと判定しなかった場合（ステップＳ１でＮｏ）には、ステップＳ１を繰り返す。
【００４３】
ステップＳ２では、車両の現在位置の情報を位置検出器１１から取得し、ステップＳ３に移る。ステップＳ３では、この現在位置において紫外線センサ２で測定した紫外線量の情報を紫外線センサ２から得て、ステップＳ４に移る。ステップＳ４では、この現在位置においてこの紫外線量を測定したときの紫外線量関係情報をナビ側送受信機２２およびＧＰＳ受信機１５から得て、ステップＳ５に移る。
【００４４】
なお、本実施形態では、ステップＳ２の処理、ステップＳ３の処理、ステップＳ４の処理の順に処理を行う構成を示したが、必ずしもこれに限らない。ステップＳ２〜ステップＳ４の処理は順不同であって、お互いに順序が入れ替わった構成であってもよい。
【００４５】
ステップＳ５では、ステップＳ２〜ステップＳ４で得られた現在位置の情報、紫外線量の情報、および紫外線量関係情報を対応付けてメモリにテーブルの形式で格納し、ステップＳ６に移る。
【００４６】
ステップＳ６では、車両のイグニッションスイッチがオフになっていた場合（ステップＳ６でＹｅｓ）には、フローを終了し、車両のイグニッションスイッチがオフになっていなかった場合（ステップＳ６でＮｏ）には、ステップＳ７に移る。
【００４７】
ステップＳ７では、前回現在位置の情報を位置検出器１１から取得してから車両の走行距離が所定の距離に達したか否かを制御装置１８が判定する。なお、ここで言うところの所定の距離とは、任意に設定可能な距離であって、例えば５００ｍとする。そして、所定の距離に達したと判定した場合（ステップＳ７でＹｅｓ）には、ステップＳ２に移ってフローを繰り返す。また、所定の距離に達したと判定しなかった場合（ステップＳ７でＮｏ）には、ステップＳ６に戻ってフローを繰り返す。
【００４８】
つまり、図３のフローでは、イグニッションスイッチがオフされるまでは、車両が５００ｍ進むごとに、その地点の現在位置の情報、紫外線量の情報、および紫外線量関係情報を対応付けてメモリに格納し続ける。
【００４９】
また、新たにメモリに格納しようとする現在位置の情報、紫外線量の情報、および紫外線量関係情報のうちの、現在位置の情報および紫外線量関係情報が、既にメモリに格納されているテーブル格納情報と同一であった場合には、新たにメモリに格納しようとする紫外線量と既にメモリに格納されているテーブル格納情報のうちの紫外線量との平均値を求め、求めた平均値をこのテーブル格納情報の紫外線量の情報として改めて対応付ける構成とすればよい。
【００５０】
なお、図３のフローは、車両のイグニッションスイッチがオフされたときには、フローの途中であってもフローを終了する。
【００５１】
次に、図４を用いて、制御装置１８での低紫外線経路選択処理のフローについての説明を行う。図４は、制御装置１８での低紫外線経路選択処理のフローを示すフローチャートである。なお、本フローは、ユーザが操作スイッチ群１７やリモコン２４から目的地を入力したときに開始される。
【００５２】
まず、ステップＳ２１では、操作スイッチ群１７またはリモコン２４から入力された目的地へ到達する移動経路であって、距離優先、時間優先等の予め設定された条件を満たす複数の案内候補経路を公知のダイクストラ法を用いて探索し、ステップＳ２２に移る。
【００５３】
ステップＳ２２では、ＧＰＳ受信機１５から日時情報を取得するとともに、ナビ側送受信機２２から天候情報を取得して、ステップＳ２３に移る。
【００５４】
ステップＳ２３では、ステップＳ２１で探索された複数の案内候補経路のうち、未だ選択されていない案内候補経路を一つ選択し、ステップＳ２４に移る。ステップＳ２４では、ステップＳ２３で選択した案内候補経路の各交差点間を結ぶ個々の道路（以下、各道路と呼ぶ）のうち、未だ選択されていない道路を一つ選択し、ステップＳ２５に移る。
【００５５】
ステップＳ２５では、ステップＳ２４で選択した道路上の地点が、メモリに格納されているテーブル格納情報に対応付けられているか否かを判定する。つまり、ステップＳ２４で選択した道路上に、紫外線量を紫外線センサ２で実測した地点（以下、実測地点と呼ぶ）が存在するか否かを判定する。そして、実測地点が存在すると判定した場合（ステップＳ２５でＹｅｓ）には、ステップＳ２８に移る。また、実測地点が存在すると判定しなかった場合（ステップＳ２５でＮｏ）には、ステップＳ２６に移る。
【００５６】
ステップＳ２６では、未だ選択されていない道路が存在するか否かを判定する。そして、未だ選択されていない道路が存在すると判定した場合（ステップＳ２６でＹｅｓ）には、ステップＳ２４に戻って、フローを繰り返す。また、未だ選択されていない道路が存在すると判定しなかった場合（ステップＳ２６でＮｏ）には、ステップＳ２７に移る。
【００５７】
ステップＳ２７では、未だ選択されていない案内候補経路が存在するか否かを判定する。そして、未だ選択されていない案内候補経路が存在すると判定した場合（ステップＳ２７でＹｅｓ）には、ステップＳ２３に戻って、フローを繰り返す。また、未だ選択されていない案内候補経路が存在すると判定しなかった場合（ステップＳ２７でＮｏ）には、ステップＳ３２に移る。
【００５８】
ステップＳ２８では、コスト算出処理を行い、ステップＳ２９に移る。以下に、コスト設定処理の詳細について述べる。
【００５９】
コスト算出処理では、位置検出器１１が検出した車両の現在位置と地図データ入力器１６の記憶媒体に記憶されている地図データとから算出される、ステップＳ２４で選択した道路までの距離とステップＳ２２で取得した日時情報および天候情報とに基づいて、当該道路上の実測地点を通過時の日時（本実施形態の例では、何月の朝昼夜のどの時間帯か）および当該道路上の実測地点を通過時の天候を予想する。
【００６０】
そして、この実測地点の情報と予想した日時および天候の情報とをもとに、テーブル格納情報を参照し、現在位置の情報および日時および天候の情報（つまり、紫外線量関係情報）が一致するデータ列が存在した場合には、そのデータ列に対応付けられている紫外線量の情報を得る。
【００６１】
また、当該道路の渋滞情報をナビ側送受信機２２で受信していた場合には、ナビ側送受信機２２から実測地点の渋滞情報を取得し、取得した渋滞情報が示す交通量の度合いに応じて、得られた紫外線量の情報（具体的には、紫外線量の値）を補正する。例えば、この補正は、紫外線量の値に渋滞情報が示す交通量の度合いに応じた係数を乗算することによって行う。例えば、交通量の度合いに応じた係数は、交通量の度合いが「渋滞」の場合には係数「１０」、「混雑」の場合は係数「５」、「通常」の場合は係数「１」、「疎ら」の場合は係数「０．５」とすればよい。なお、この係数は任意に設定可能なものとする。
【００６２】
続いて、得られた紫外線量の値が所定の閾値以上（例えば４１Ｗ／ｍ２以上）であるか否かの判定を行い、所定の閾値以上であった場合には、当該道路にコスト「１」を加算する。また、所定の閾値以上でなかった場合には、当該道路からコスト「１」を減算する。そして、当該道路上のすべての実測地点についてこれら一連の処理を行うことによって、当該道路のコストを算出する。
【００６３】
ステップＳ２９では、ステップＳ２３で選択した案内候補経路に含まれる各道路を全て選択したか否かを判定する。そして、全ての道路を選択したと判定した場合（ステップＳ２９でＹｅｓ）には、ステップＳ３０に移る。また、全ての道路を選択したと判定しなかった場合（ステップＳ２９でＮｏ）には、ステップＳ２４に戻ってフローを繰り返す。
【００６４】
ステップＳ３０では、ステップＳ２３で選択した案内候補経路に含まれる各道路について算出されたコストを総和して案内候補経路の総コストを算出し、ステップＳ３１に移る。
【００６５】
ステップＳ３１では、ステップＳ２１で探索された複数の案内候補経路を全て選択したか否かを判定する。そして、複数の案内候補経路を全て選択したと判定した場合（ステップＳ３１でＹｅｓ）には、ステップＳ３２に移る。また、複数の案内候補経路を全て選択したと判定しなかった場合（ステップＳ３１でＮｏ）には、ステップＳ２３へ戻ってフローを繰り返す。
【００６６】
ステップＳ３２では、複数の案内候補経路の各総コストを比較し、総コストが最も少ない案内候補経路を、案内すべき移動経路として選択し、フローを終了する。
【００６７】
以上の構成によれば、紫外線センサ２で車室内の紫外線量を実測した地点ごとに、その紫外線量の情報およびその紫外線量を実測したときの紫外線量関係情報が対応付けられることになる。よって、案内候補経路上に存在する地点のうちに、実測地点が存在し、且つ、この実測地点を車両が通過すると予想されるときの紫外線量関係情報が、この実測地点に対応付けられている紫外線量関係情報と同一であった場合には、案内候補経路上に存在する地点における車室内の紫外線量を高確率に予測することができる。よって、複数の案内候補経路のうち、車室内の紫外線量が最も少なくなる経路を選択することが可能になる。従って、以上の構成によれば、車両の乗員にあたる紫外線量をより確実に低減させることを可能にすることができる。
【００６８】
また、渋滞によって車両が一地点にとどまっている場合には、紫外線を遮ることができずに長時間浴び続けなければならない可能性があるため、より紫外線の影響を受けるものと考えられる。また、渋滞がなく、車両が一地点にほとんどとどまっていない場合には、その地点での車室内の紫外線量が強い場合であっても、紫外線の影響を受けにくいものと考えられる。よって、以上の構成によれば、複数の案内候補経路のうち、より紫外線の影響を受けると考えられる経路を避ける（つまり、選択しない）とともに、紫外線の影響を受けにくいものと考えられる経路を選択することを、さらに精度良く行うことが可能になる。
【００６９】
なお、本実施形態では、渋滞情報に基づいて、渋滞の度合いが高い実測地点ほど紫外線量を高くする補正を行う構成を示したが、必ずしもこれに限らない。例えば、制御装置１８が渋滞情報を取得せず、上述の補正を行わない構成であってもよい。
【００７０】
また、本実施形態では、経路探索実行処理が開始された場合に、低紫外線経路選択処理を行う構成を示したが、必ずしもこれに限らない。例えば、低紫外線経路選択処理を行うか否かのユーザからの設定入力を操作スイッチ群１７やリモコン２４で受け付ける構成とし、経路探索実行処理が開始された場合であっても、低紫外線経路選択処理を行う旨の設定入力を受け付けていない場合には、低紫外線経路選択処理を行わずに経路探索実行処理を行って移動経路を決定する構成としてもよい。
【００７１】
なお、本実施形態では、制御装置１８が車両の現在位置の情報を位置検出器１１から取得する構成を示したが、必ずしもこれに限らない。例えば、制御装置１８が車両の現在位置の情報とともに、この現在位置における車両の進行方向の情報を位置検出器１１から取得する構成であってもよい。この場合には、ステップＳ３では、この現在位置およびこの進行方向において紫外線センサ２で測定した紫外線量の情報を紫外線センサ２から得る構成とすればよく、ステップＳ４では、この現在位置およびこの進行方向においてこの紫外線量を測定したときの紫外線量関係情報をナビ側送受信機２２およびＧＰＳ受信機１５から得る構成とすればよい。また、ステップＳ５では、ステップＳ２〜ステップＳ４で得られた現在位置の情報、車両の進行方向の情報、紫外線量の情報、および紫外線量関係情報を対応付けてメモリに格納する構成とすればよい。そして、対応付けられてメモリに格納されている現在位置の情報、車両の進行方向の情報、紫外線量の情報、および紫外線量関係情報、ならびにナビ側送受信機２２から送られてきた渋滞情報をもとに、低紫外線経路選択処理を行う構成とすればよい。
【００７２】
以上の構成のようにすれば、紫外線センサ２で車室内の紫外線量を実測した地点ごとに、その紫外線量情報、車両の進行方向の情報、およびその紫外線量を実測したときの紫外線量関係情報が対応付けられることになる。よって、案内候補経路上に存在する地点のうちに、実測地点が存在し、且つ、この実測地点を車両が通過すると予想されるときの車両の進行方向の情報および紫外線量関係情報が、この実測地点に対応付けられている車両の進行方向の情報および紫外線量関係情報と同一であった場合には、案内候補経路上に存在する地点における車室内の紫外線量をさらに高確率に予測することができる。よって、複数の案内候補経路のうち、車室内の紫外線量が最も少なくなる経路をより精度良く選択することが可能になる。
【００７３】
また、前述した、低紫外線経路選択処理を行う旨の設定入力を受け付けていない場合に、低紫外線経路選択処理を行わずに経路探索実行処理を行って移動経路を決定する構成において、経路探索実行処理を行って決定した移動経路のうちに、車室内の紫外線量が異常閾値以上（例えば５１Ｗ／ｍ２以上）になると推測される地点が存在した場合には、車両の乗員に警告を行う構成であってもよい。詳しくは、まず、前述のコスト算出処理中のテーブル格納情報のデータ列に対応付けられている紫外線量の情報を得る処理と同様にして、経路探索実行処理を行って決定した移動経路を走行時に車室内に実際に差し込むと推測される紫外線量の値を得る。続いて、得られた紫外線量の値のうちに、異常閾値以上のものがあるか否かを制御装置１８が判定する。そして、異常閾値以上のものがあると判定した場合には、異常閾値以上の紫外線量が車室内に差し込むと推測された地点（つまり、テーブル格納情報において、異常閾値以上の紫外線量の情報と対応付けられていた現在位置の情報が示す地点）を、表示装置２１に表示させる経路案内表示中で例えば強調表示させたりなどすることによって、車両の乗員に紫外線量の多い地点を知らせる警告を行う。なお、警告は、表示装置２１によって行う構成に限らず、音声出力装置１９によって行う構成であってもよい。
【００７４】
以上の構成によれば、移動経路上に存在する地点における車室内の紫外線量が異常閾値以上であった場合には、車両の乗員に警告を行うことができるので、紫外線量の多い経路を避けて走行するように促すことが可能になる。従って、以上の構成によっても、車両の乗員にあたる紫外線量をより確実に低減させることを可能にすることができる。
【００７５】
次に、図５を用いて、本発明が適用された車両用経路案内システム１００についての説明を行う。図５は、車両用経路案内システム１００の概略的な構成を示すブロック図である。図５に示す車両用経路案内システム１００は、ナビゲーション装置１および紫外線センサ２を搭載した車両４ａ・４ｂと管理サーバ３とを含んでいる。
【００７６】
車両用経路案内システム１００におけるナビゲーション装置１は、ナビ側送受信機２２によって管理サーバ３との情報のやり取りを行うこと以外は、前述したのと同様の機能を果たすものとする。具体的には、ナビゲーション装置１は、ナビ側送受信機２２によって管理サーバ３へ、実測値収集処理において対応付けた現在位置の情報、紫外線量の情報、および紫外線量関係情報（以下、対応関係情報と呼ぶ）を送信する。つまり、車両が所定の距離を走行するごと（例えば５００ｍ間隔ごと）に、対応関係情報がナビ側送受信機２２によって管理サーバ３へ向けて送信されることになる。よって、ナビ側送受信機２２は、請求項の車両側通信装置として機能する。また、ナビゲーション装置１は、経路探索実行処理が開始された場合には、ナビ側送受信機２２によって管理サーバ３へ、現在位置の情報、紫外線量関係情報、渋滞情報、および操作スイッチ群１７またはリモコン２４から入力された目的地の情報などを送信する。
【００７７】
管理サーバ３は、ネットワーク上のサーバであって、サーバ側送受信機３１、サーバ側演算装置３２、およびサーバメモリ３３を備えている。
【００７８】
サーバ側送受信機３１は、例えば携帯電話網などを経由した間接的な通信によって、ナビ側送受信機２２との間で情報のやり取りを行う。具体的には、サーバ側送受信機３１は、車両４ａ・４ｂのナビ側送受信機２２から管理サーバ３へ送信される前述した情報を受信する。また、サーバ側送受信機３１は、後述するサーバ側演算装置３２で得られる移動経路の情報などをナビ側送受信機２２へ送信する。
【００７９】
サーバ側演算装置３２は、サーバ側送受信機３１で受信した対応関係情報を、例えばテーブルの形式でサーバメモリ３３へ格納する。よって、サーバメモリ３３は、請求項のメモリとして機能する。なお、新たにサーバメモリ３３に格納しようとする対応関係情報のうちの、現在位置の情報および紫外線量関係情報が、既にサーバメモリ３３に格納されている対応関係情報と同一であった場合には、新たにサーバメモリ３３に格納しようとする紫外線量と既にサーバメモリ３３に格納されている対応関係情報のうちの紫外線量との平均値を求め、求めた平均値をこの対応関係情報の紫外線量の情報として改めて対応付ける構成とすればよい。
【００８０】
また、サーバ側演算装置３２は、サーバ側送受信機３１で目的地の情報を受信した場合には、目的地の情報を送信した車両（ここでは、例として車両４ａとする）の現在位置の情報、紫外線量関係情報、および渋滞情報をもとに、前述した制御装置１８の低紫外線経路選択処理と同様の処理を行って、車両４ａの移動経路を選択する。そして、サーバ側送受信機３１によって、選択した移動経路の情報を車両４ａのナビ側送受信機２２に向けて送信させる。
【００８１】
サーバ側演算装置３２によって選択された移動経路の情報をナビ側送受信機２２で受信した場合には、ナビゲーション装置１はこの移動経路を、案内すべき移動経路として決定する。なお、ナビゲーション装置１では、制御装置１８で選択した移動経路よりも、サーバ側演算装置３２で選択した移動経路を、案内すべき移動経路として優先して決定するものとする。
【００８２】
以上の構成によれば、対応関係情報を、複数の車両（本実施形態の例では車両４ａおよび車両４ｂ）から得ることができるので、案内候補経路上に存在する地点のうちに、実測地点が存在するケースが、１台の車両から対応関係情報を得る場合よりも増える。よって、複数の案内候補経路のうち、車室内の紫外線量が最も少なくなる経路をより精度良く選択することが可能になる。
【００８３】
なお、本実施形態では、サーバ側演算装置３２で移動経路を選択する処理を行う場合に、ナビ側送受信機２２から送信された天候情報および渋滞情報を用いる構成を示したが、必ずしもこれに限らない。例えば、サーバ側演算装置３２で移動経路を選択する処理を行う場合に、情報センタからサーバ側送受信機３１で受信した天候情報および渋滞情報を用いる構成であってもよい。
【００８４】
また、本実施形態では、サーバ側演算装置３２で移動経路を選択する処理を行う場合に、渋滞情報を用いる構成を示したが、必ずしもこれに限らず、サーバ側演算装置３２で移動経路を選択する処理を行う場合に、渋滞情報を用いない構成であってもよい。
【００８５】
なお、車両用経路案内システム１００におけるナビゲーション装置１で低紫外線経路選択処理を行わない構成としてもよい。
【００８６】
また、車両用経路案内システム１００では、サーバ側演算装置３２が、複数の車両（本実施形態の例では車両４ａおよび車両４ｂ）からサーバ側送受信機３１で受信した各対応関係情報を、サーバ側送受信機３１からこの複数の車両のうちの少なくともいずれかの車両（本実施形態の例では車両４ａおよび車両４ｂのうちの少なくとも一方）に配信する構成であってもよい。この場合、サーバ側送受信機３１から配信される上述の各対応関係情報をナビ側送受信機２２で受信し、受信したこの各対応関係情報をもとにして、制御装置１８が、公知の「渋滞情報」と同様にして「紫外線情報」を案内する構成であってもよい。具体例としては、車両の走行を案内するための地図上の、この各対応関係情報に対応付けられている現在位置情報が示す地点に、この現在位置情報に対応付けられている紫外線量を表示させるなどの「紫外線情報」を案内する。なお、この構成においては、車両用経路案内システム１００のサーバ側演算装置３２で移動経路を選択する処理を行わない構成としてもよい。
【００８７】
これによれば、自車両（ここでは、例として車両４ａとする）以外の車両（ここでは、例として車両４ｂとする）の紫外線センサ２で実測された、ある地点における車室内の紫外線量を示す情報について、車両４ａの乗員が案内を受けることが可能になるので、車両４ｂが実際に通行したことはあるが、車両Ｂが実際に通行したことのない地点の現時点での実際の紫外線量を車両４ａの乗員が知ることも可能になる。よって、車両４ａの乗員がこの実際の紫外線量の情報をもとに、紫外線量の多い経路を避けて走行することも可能になる。従って、以上の構成によっても、車両の乗員にあたる紫外線量をより確実に低減させることを可能にすることができる。
【００８８】
なお、前述の実施形態では、紫外線量関係情報として日時情報と天候情報との両方を用いる構成を示したが、必ずしもこれに限らず、紫外線量関係情報として日時情報と天候情報とのうちのいずれか一方のみを用いる構成であってもよい。
【００８９】
また、前述の実施形態では、距離優先や時間優先等の予め設定された条件を満たす複数の案内候補経路を、ダイクストラ法を用いて探索した後に、車室内の紫外線量が最も少なくなる経路を選択する構成を示したが、必ずしもこれに限らない。例えば、紫外線優先の条件を満たす経路を、ダイクストラ法を用いて探索することによって、車室内の紫外線量が最も少なくなる経路を選択する構成であってもよい。この場合、距離や時間のコストに加え、前述したコスト算出処理と同様にして紫外線コストを算出し、このコストの重みを他のコスト（つまり、距離や時間のコスト）よりも大きくしたうえで総コストを算出することによって、車室内の紫外線量が最も少なくなる経路を選択する構成とすればよい。また、この場合に、距離や時間のコストを用いず、紫外線コストのみを用いて車室内の紫外線量が最も少なくなる経路を選択する構成としてもよい。
【００９０】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【図面の簡単な説明】
【００９１】
【図１】ナビゲーション装置１の概略的な構成を示すブロック図である。
【図２】紫外線センサ２の設置例を示す模式図である。
【図３】制御装置１８での実測値収集処理のフローを示すフローチャートである。
【図４】制御装置１８での低紫外線経路選択処理のフローを示すフローチャートである。
【図５】車両用経路案内システム１００の概略的な構成を示すブロック図である。
【符号の説明】
【００９２】
１  ナビゲーション装置（車両用経路案内装置）、２  紫外線センサ、３  管理サーバ、１１  位置検出器、１５  ＧＰＳ受信機（紫外線量関係情報取得手段）、１８  制御装置（現在位置情報取得手段、紫外線量情報取得手段、渋滞情報取得手段、対応関係格納部、車両側選択手段）、２１  表示装置（警告手段）、２２  ナビ側送受信機（紫外線量関係情報取得手段、車両側通信装置）、３１  サーバ側送受信機（サーバ側通信装置）、３２  サーバ側演算装置（サーバ側選択手段）、３３  サーバメモリ（メモリ）、１００  車両用経路案内システム
【図１】
0004992829.tif 000002
【図２】
0004992829.tif 000003
【図３】
0004992829.tif 000004
【図４】
0004992829.tif 000005
【図５】
0004992829.tif 000006